(57)【要約】【課題】配線に指や工具を引っ掛け難くすることができ、配線が回路基板やその接続先から抜け落ちたり、損傷を受けたりする虞を無くすことができる遊技機を提供する。【解決手段】パチンコ遊技機の遊技盤には、保護カバー５１にて保護されたＬＥＤ基板４１を有するサイドランプ１３が装着されている。保護カバー５１とＬＥＤ基板４１との間には間隙Ｋが設けられている。また、保護カバー５１の所定位置には、前記間隙Ｋに連通する貫通孔５７、第１開口部５５、及び第２開口部５６が形成されている。そして、サイドランプ１３に接続された遊技球検出スイッチ用ハーネス３８のリード線３８ａは、第１開口部５５から間隙Ｋ内へ通され、貫通孔５７から保護カバー５１外へ引き出される。【選択図】      図７
2006141569.tif 000002
【特許請求の範囲】
【請求項１】
保護カバーにて保護された回路基板を有する遊技用部材を具備した遊技機において、
前記保護カバーと前記回路基板との間に間隙を設けるとともに、該保護カバーの所定位置に前記間隙に連通する開口部を形成し、前記回路基板に接続された配線、及び前記遊技用部材が備える回路基板とは別の電子機器に接続された配線のうちの少なくとも一配線を、前記間隙に通して前記開口部から保護カバー外へ引き出したことを特徴とする遊技機。
【請求項２】
前記回路基板は、表面に電子部品が実装されているとともに裏面にて前記電子部品が半田付けされており、前記保護カバーと回路基板の間には、前記半田付けされた箇所を回避した配線の取り回し経路を形成する案内手段が設けられ、前記取り回し経路に前記配線のうちの少なくとも一配線を取り回した請求項１に記載の遊技機。
【請求項３】
前記遊技用部材は遊技盤に具備され、該遊技盤の裏側には、遊技盤の表側に設けられた入賞口に入賞した遊技球を回収する遊技球回収樋が配設され、少なくとも前記配線の引き出し位置となる開口部は前記遊技球回収樋を回避した位置に設けられている請求項１又は請求項２に記載の遊技機。
【請求項４】
前記保護カバーには、前記間隙を閉鎖する側壁が形成され、該側壁を貫通して前記開口部が形成されている請求項１〜請求項３のうちいずれか一項に記載の遊技機。
【請求項５】
前記遊技用部材には、入賞口とともに該入賞口に入賞した遊技球を検出する前記電子機器としての遊技球検出スイッチが装着され、前記回路基板には配線接続用コネクタが設けられ、前記保護カバーにおける前記配線接続用コネクタの対応部位に該配線接続用コネクタに対して配線接続を許容する貫通孔を設け、該貫通孔を前記開口部と兼用して前記遊技球検出スイッチに接続された配線を前記間隙を通して前記貫通孔から保護カバー外へ引き出した請求項１〜請求項４のうちいずれか一項に記載の遊技機。
【発明の詳細な説明】
【技術分野】
【０００１】
本発明は、保護カバーにて保護された回路基板を有する遊技用部材を具備した遊技機に関する。
【背景技術】
【０００２】
従来、遊技機の一種であるパチンコ機の遊技盤には、各種の遊技用部材が配設されている。各種遊技用部材は、それぞれベース体の表面や内部に遊技演出（発光演出や可動体演出など）を実行する演出装置を備えたものや、遊技球の入賞口を備えたものがある。そして、前記演出装置を備えた遊技用部材が遊技盤に配設された状態では、前記ベース体の裏面に備えられた前記演出装置の回路基板が、遊技盤の裏面に露出している。
【０００３】
前記回路基板は、その前面にＬＥＤ、抵抗、コンデンサ等の電子部品が半田付けされ、裏面が半田面となっている。そして、この半田面に遊技球やビス等の金属部品が接触すると回路基板が電気的に短絡する虞があるため、遊技盤の裏側には半田面（回路基板の裏面）を覆い保護するための保護カバーが設けられている（例えば、特許文献１参照。）。
【０００４】
また、遊技盤の裏側には、前記演出装置を制御する制御基板が配設されており、この制御基板と前記回路基板とは、制御基板に設けられたコネクタと、回路基板に設けられたコネクタとがハーネスによって接続されることにより電気的に接続されている。また、前記ベース体に入賞口を備えた遊技用部材には、入賞口に入賞した遊技球を検出するための遊技球検出スイッチが装着されている。そして、この遊技球検出スイッチは、前記制御基板にハーネスを介して電気的に接続されている。
【特許文献１】特開２００１−０４６６９８号公報（［００１４］、［００１５］、図１）
【発明の開示】
【発明が解決しようとする課題】
【０００５】
特許文献１に記載の遊技機において、回路基板に設けられたコネクタは、前記保護カバーに形成された貫通孔を貫通して保護カバー外に露出している。このため、回路基板のコネクタに接続されたハーネスは、保護カバーの外側に露出された状態で制御基板のコネクタに接続されている。また、回路基板は、前記ベース体の形状に合わせた形に形成されており、かつ、表面に多数の電子部品が実装されている関係上、回路基板におけるコネクタの配設位置は任意の位置とすることが困難であった。また、回路基板は複数の機種の遊技用部材に兼用されることがある。すなわち、コネクタの配設位置は、一種類しか存在せず、各機種毎にコネクタの配設位置を設定することができない。その結果、回路基板におけるコネクタの配設位置を任意の位置とすることが困難であった。このため、回路基板に配設されるコネクタの位置が制御基板から遠く離れてしまうことがあり、この場合には回路基板と制御基板とを接続するハーネスの線長が長くなってしまう。
【０００６】
さらに、遊技球検出スイッチに接続されたハーネスは、保護カバー外に露出している。また、入賞口は、遊技盤のデザイン構成や遊技球の入賞の容易性及び困難性を考慮して、遊技盤における配設位置が決定される。このため、入賞口が制御基板から遠く離れてしまう場合もあり、この場合には遊技球検出スイッチと制御基板とを接続するハーネスの線長が長くなってしまう。
【０００７】
この結果として、保護カバーの外側には、線長の長い複数のハーネスが雑然と配設された状態となっていた。したがって、例えば、遊技機の運送、遊技店での設置作業、遊技機の点検、修理等の際に、ハーネスに指や工具等が引っ掛かってしまい、ハーネスが回路基板や制御基板から抜け落ちたり、損傷を受けたりする虞があった。
【０００８】
この発明は、このような従来の技術に存在する問題点に着目してなされたものであり、その目的は、配線に指や工具を引っ掛け難くすることができ、配線が回路基板やその接続先から抜け落ちたり、損傷を受けたりする虞を無くすことができる遊技機を提供することにある。
【課題を解決するための手段】
【０００９】
上記問題点を解決するために、請求項１に記載の発明は、保護カバーにて保護された回路基板を有する遊技用部材を具備した遊技機において、前記保護カバーと前記回路基板との間に間隙を設けるとともに、該保護カバーの所定位置に前記間隙に連通する開口部を形成し、前記回路基板に接続された配線、及び前記遊技用部材が備える回路基板とは別の電子機器に接続された配線のうちの少なくとも一配線を、前記間隙に通して前記開口部から保護カバー外へ引き出したことを要旨とする。
【００１０】
請求項２に記載の発明は、請求項１に記載の遊技機において、前記回路基板は、表面に電子部品が実装されているとともに裏面にて前記電子部品が半田付けされており、前記保護カバーと回路基板の間には、前記半田付けされた箇所を回避した配線の取り回し経路を形成する案内手段が設けられ、前記取り回し経路に前記配線のうちの少なくとも一配線を取り回したことを要旨とする。
【００１１】
請求項３に記載の発明は、請求項１又は請求項２に記載の遊技機において、前記遊技用部材は遊技盤に具備され、該遊技盤の裏側には、遊技盤の表側に設けられた入賞口に入賞した遊技球を回収する遊技球回収樋が配設され、少なくとも前記配線の引き出し位置となる開口部は前記遊技球回収樋を回避した位置に設けられていることを要旨とする。
【００１２】
請求項４に記載の発明は、請求項１〜請求項３のうちいずれか一項に記載の遊技機において、前記保護カバーには、前記間隙を閉鎖する側壁が形成され、該側壁を貫通して前記開口部が形成されていることを要旨とする。
【００１３】
請求項５に記載の発明は、請求項１〜請求項４のうちいずれか一項に記載の遊技機において、前記遊技用部材には、入賞口とともに該入賞口に入賞した遊技球を検出する前記電子機器としての遊技球検出スイッチが装着され、前記回路基板には配線接続用コネクタが設けられ、前記保護カバーにおける前記配線接続用コネクタの対応部位に該配線接続用コネクタに対して配線接続を許容する貫通孔を設け、該貫通孔を前記開口部と兼用して前記遊技球検出スイッチに接続された配線を前記間隙を通して前記貫通孔から保護カバー外へ引き出したことを要旨とする。
【発明の効果】
【００１４】
本発明によれば、配線に指や工具を引っ掛け難くすることができ、配線が回路基板やその接続先から抜け落ちたり、損傷を受けたりする虞を無くすことができる。
【発明を実施するための最良の形態】
【００１５】
（第１の実施形態）
以下、本発明をパチンコ遊技機に具体化した第１の実施形態を図１〜図８にしたがって説明する。
【００１６】
図１に示すように、パチンコ遊技機に設けられる遊技盤１０は、略矩形状に形成されている。遊技盤１０の中央上側には、遊技用部材としてのセンタ役物１１が配設されている。センタ役物１１には、複数種類の図柄を変動させて図柄組み合わせを表示する図柄組み合わせゲーム（遊技演出（表示演出））を行う可変表示器Ｈが設けられている。また、センタ役物１１には、発光に基づく遊技演出（発光演出）を行う装飾ランプ１２が設けられている。
【００１７】
また、遊技盤１０の左右両下側には、遊技用部材としてのサイドランプ１３が配設されている。サイドランプ１３は、発光に基づく遊技演出（発光演出）を行う。また、左右のサイドランプ１３には、入賞口としての普通入賞口１５が各２つずつ設けられている。各普通入賞口１５の奥方には、入賞した遊技球を検出する遊技球検出スイッチＳ（図４参照）が設けられている。普通入賞口１５は、遊技球の入賞を契機に、所定個数（例えば１０個）の遊技球（賞球）の払出条件を付与し得る。
【００１８】
さらに、遊技盤１０の中央下側には、遊技用部材としての始動入賞口１７が配設されている。始動入賞口１７には、アクチュエータ（図示せず）の作動により開閉動作を行う開閉羽根１６が設けられている。また、始動入賞口１７の奥方には、入賞した遊技球を検出する始動口センサ（図示せず）が設けられている。始動入賞口１７は、遊技球の入賞を契機に、図柄組み合わせゲームの始動条件を付与し得る。また、遊技盤１０の中央下側であって、始動入賞口１７の下方には、遊技用部材としての大入賞口１９が配設されている。大入賞口１９には、アクチュエータ（図示せず）の作動により開閉動作を行う大入賞口扉１８が設けられている。また、大入賞口１９の奥方には、入賞した遊技球を検出する大入賞口センサ（図示しない）が設けられている。大入賞口１９は、遊技球の入賞を契機に、所定個数（例えば１５個）の遊技球（賞球）の払出条件を付与し得る。
【００１９】
前述のように遊技盤１０は、複数の遊技用部材（センタ役物１１、サイドランプ１３、始動入賞口１７、大入賞口１９）を具備している。なお、本実施形態における遊技用部材は、遊技用部材の一例として挙げられる遊技用役物であり、該遊技用役物とは、遊技盤１０の遊技領域１０ａで行われる遊技に直接的に関与する装置のことである。そして、遊技用役物としては、演出役物、入賞役物、及び演出役物や入賞役物に属さないその他の役物が挙げられる。演出役物は、演出装置を具備しており、その演出装置によって遊技演出（表示演出、発光演出など）を行うものである。本実施形態では、センタ役物１１やサイドランプ１３である。また、遊技盤１０に演出用可動体が配設されている場合には、その演出用可動体も演出役物となる。入賞役物は、入賞口を備え、その入賞口に遊技球が入賞することにより遊技者に特典を付与し得るものである。本実施形態では、普通入賞口１５、始動入賞口１７、大入賞口１９である。また、普通図柄による普通図柄変動ゲームの始動条件を付与する作動ゲートも入賞役物となる。その他の役物としては、遊技機用風車等である。
【００２０】
図２に示すように、遊技盤１０には、前記各種遊技用部材を装着するための遊技盤貫通口２０ａ，２０ｂ，２０ｃが複数箇所（本実施形態では四箇所）に形成されている。そして、中央の遊技盤貫通口２０ａを利用してセンタ役物１１が装着され、左右両下側の遊技盤貫通口２０ｂを利用して左右のサイドランプ１３が装着される。さらに、中央下側の遊技盤貫通口２０ｃを利用して始動入賞口１７及び大入賞口１９が装着される。図２及び図３は、遊技盤１０の裏側を示し、遊技盤１０を表側から見た場合の左側の遊技盤貫通口２０ｂに左側のサイドランプ１３が装着された状態を図示している。図３に示すように、遊技盤１０の裏側には、中央の遊技盤貫通口２０ａを囲むようにして遊技球回収樋２１が装着されている。遊技球回収樋２１は略四角枠状に形成されている。遊技球回収樋２１は、各普通入賞口１５に入賞した遊技球を回収するためのものである。
【００２１】
次に、サイドランプ１３について詳細に説明する。サイドランプ１３は左右両方とも同一構成であるため同一部材番号を付して説明する。なお、以下の説明においてサイドランプ１３の「左」「右」「上」「下」「表（前）」「裏（後）」は、図４に示す矢印Ｙ１の方向を上下方向とし、矢印Ｙ２の方向を左右方向とし、矢印Ｙ３の方向を表裏（前後）方向とする。
【００２２】
図４に示すように、サイドランプ１３は、役物ベース３１と、該役物ベース３１の表側に設けられるレンズカバー６１と、役物ベース３１の裏側に設けられる回路基板としてのＬＥＤ基板４１と、ＬＥＤ基板４１の裏側に設けられる保護カバー５１とから主に構成されている。
【００２３】
まず、前記役物ベース３１について説明する。役物ベース３１は、その外郭形状がサイドランプ１３の外郭形状を形成するように合成樹脂材料により細長板状に形成されている。役物ベース３１は、左右両側の遊技盤貫通口２０ｂよりも大きく形成され、サイドランプ１３を対応する遊技盤貫通口２０ｂに装着したとき、役物ベース３１が遊技盤貫通口２０ｂを閉塞する大きさに形成されている。役物ベース３１の中央右側には、上下方向へ細長に延びるＬＥＤ挿入口３２が貫通形成されている。役物ベース３１の裏面３１ａには、前記ＬＥＤ挿入口３２の開口縁全周に沿って延びるリブ３０が立設されている。さらに、役物ベース３１の裏面３１ａには、前記ＬＥＤ基板４１及び保護カバー５１を役物ベース３１にビス止めするためのビス止め用ボス３３が上下二箇所に立設されている。また、役物ベース３１の裏面３１ａであって、前記ビス止め用ボス３３の近傍には、前記ＬＥＤ基板４１及び保護カバー５１を役物ベース３１に位置決めし、仮固定するための仮固定突起３４が上下二箇所に立設されている。
【００２４】
役物ベース３１の表面３１ｂには、上方に開口する有底四角箱状をなす２つの普通入賞口１５が一体形成されている。また、役物ベース３１において、各普通入賞口１５の対応部位には、入賞した遊技球を役物ベース３１の裏側へ導出するための導出口３５が形成されている。加えて、役物ベース３１の裏面３１ａには、各導出口３５の下側を囲みながら裏面３１ａ側へ突出する導出路３６が設けられている。さらに、役物ベース３１の裏面３１ａであって、各導出路３６の上側には、前記ＬＥＤ基板４１とは別の電子機器である遊技球検出スイッチＳを取り付けるスイッチ取付部３７が設けられている。遊技球検出スイッチＳは、普通入賞口１５に入賞した遊技球を通過可能とする通過孔Ｓａを備え、該通過孔Ｓａの通過時に遊技球を検出するようになっている。また、遊技球検出スイッチＳには、メス型コネクタＳｂが設けられている。メス型コネクタＳｂには、遊技球検出スイッチ用ハーネス３８（図６参照）のリード線（配線）３８ａの一端に設けられたオス型コネクタ３８ｂが接続されるようになっている。
【００２５】
次に、前記ＬＥＤ基板４１について説明する。ＬＥＤ基板４１は、合成樹脂材料により細長板状に形成されている。また、ＬＥＤ基板４１は、その外郭形状が役物ベース３１の外郭形状よりも小さく形成されている。ＬＥＤ基板４１は、その表面４１ｂにＬＥＤ４２、コンデンサ（図示せず）、抵抗（図示せず）等の電子部品が実装され、各電子部品のリードが裏面４１ａに半田付けされている。ＬＥＤ基板４１の裏面４１ａには、半田付けされた箇所が露出している。また、ＬＥＤ基板４１の上下両側には、ビスＢを挿通可能とするビス孔４６と、仮固定突起３４を挿通可能とする挿通孔４７とが各一箇所ずつ形成されている。さらに、ＬＥＤ基板４１の裏面４１ａ下側には、配線接続用コネクタとしてのメス型コネクタ４３が設けられている。メス型コネクタ４３には、ＬＥＤ基板用ハーネス４５（図６参照）のリード線（配線）４５ａの一端に設けられたオス型コネクタ４５ｂが接続されるようになっている。
【００２６】
続いて、前記保護カバー５１について説明する。保護カバー５１は、透明の合成樹脂材料により箱状に形成され、その外郭形状がＬＥＤ基板４１の外郭形状に合わせた形状に形成されている。保護カバー５１は、ほぼ全体が細長箱状をなすカバー部５２より形成され、該カバー部５２の上下両側に略板状の取付部５３が延設されている。前記カバー部５２は、該カバー部５２の底をなす底壁５２ａとその底壁５２ａの周縁に立設された上下左右の側壁５２ｂとから一面に開口して形成されている。そして、カバー部５２の内側には側壁５２ｂの高さを深さとする空間が形成されている。この空間により、保護カバー５１を役物ベース３１に組み付けた際には、ＬＥＤ基板４１と保護カバー５１との間に間隙Ｋが形成される。なお、カバー部５２は、その下側一部を構成する側壁５２ｂの高さがその他の部位に比して低くなり、その部位における空間の深さが浅くなっている。
【００２７】
図７及び図８に示すように、カバー部５２には、その底壁５２ａにカバー部５２の深さ方向（図４の矢印Ｙ３方向）に沿って延びる案内ボス５４が複数箇所（実施形態では四箇所）に突設されている。これら四つの案内ボス５４は、隣り合う案内ボス５４の間に間隔をおいて設けられている。また、全ての案内ボス５４は、カバー部５２において左右方向の側壁５２ｂのうち、右側の側壁５２ｂ寄りに形成されている。そして、右側の側壁５２ｂの内面と四つの案内ボス５４との間には、四つの案内ボス５４に沿って前記リード線３８ａを敷設可能な間隔が空けられている。そして、ＬＥＤ基板４１の裏側に保護カバー５１が組み付けられたとき、ＬＥＤ基板４１裏面４１ａの半田付けされた箇所が、前記リード線３８ａを敷設可能とする間隔と対応しないように、前記案内ボス５４が設けられている。さらに、各案内ボス５４は、その端面が側壁５２ｂの開口側端面と同一平面上に位置する長さに形成されている。
【００２８】
図４に示すように、カバー部５２において左右方向の側壁５２ｂのうち、左側の側壁５２ｂの上側には、該左側の側壁５２ｂを切り欠いて開口部としての第１開口部５５が形成されている。第１開口部５５は、カバー部５２の内部空間と連通している。また、第１開口部５５は、前記四つの案内ボス５４のうち最も上側に配設された案内ボス５４と横方向（左右方向）にほぼ並列した位置に形成されている（図７参照）。さらに、カバー部５２の上下方向の側壁５２ｂのうち、下側の側壁５２ｂには、該下側の側壁５２ｂを切り欠いて開口部としての第２開口部５６が形成されている。第２開口部５６は、カバー部５２の内部空間と連通している。また、カバー部５２の下側には、底壁５２ａを貫通して四角形状の開口部としての貫通孔５７が形成されている。貫通孔５７は、カバー部５２の内部空間と連通している。
【００２９】
保護カバー５１において、上下両取付部５３には、前記ビスＢを挿通可能とするビス孔５３ａと、前記仮固定突起３４を挿通可能とする挿通孔５３ｂが各一箇所ずつ形成されている。前記レンズカバー６１は、半透明の樹脂材料により細長箱状に形成され、その外郭形状が前記役物ベース３１の外郭形状より小さく形成されている。そして、レンズカバー６１の表面には装飾部材９０が取り付けられている（図１参照）。
【００３０】
次に、前述のように構成されたサイドランプ１３の組み付け形態について説明する。
役物ベース３１の表側には、レンズカバー６１が組み付けられる。一方で、役物ベース３１の裏側には、各スイッチ取付部３７に遊技球検出スイッチＳが組み付けられる。遊技球検出スイッチＳは、通過孔Ｓａが普通入賞口１５内に臨むように組み付けられる。また、役物ベース３１の裏側には、ビス止め用ボス３３と仮固定突起３４を利用して、ＬＥＤ基板４１が組み付けられると共に、該ＬＥＤ基板４１の裏面４１ａ側を覆うように保護カバー５１が組み付けられる（図４及び図６参照）。
【００３１】
この組み付け時において、上側の遊技球検出スイッチＳに接続される遊技球検出スイッチ用ハーネス３８のリード線３８ａは、第１開口部５５を通って保護カバー５１の内部空間に収容され、四つの案内ボス５４にて形成される取り回し経路６２を沿わせて貫通孔５７から保護カバー５１外に引き出される（図６〜図８参照）。また、下側の遊技球検出スイッチＳに接続される遊技球検出スイッチ用ハーネス３８のリード線３８ａは、第２開口部５６を通って保護カバー５１の内部空間に収容され、貫通孔５７から保護カバー５１外に引き出される（図６及び図８参照）。また、ＬＥＤ基板４１と保護カバー５１の組み付け時においては、ＬＥＤ基板４１のメス型コネクタ４３と保護カバー５１の貫通孔５７が対応配置される（図７参照）。このため、ＬＥＤ基板用ハーネス４５のオス型コネクタ４５ｂは、貫通孔５７を介してＬＥＤ基板４１のメス型コネクタ４３に接続される（図６及び図８参照）。
【００３２】
このように組み付けられたサイドランプ１３では、保護カバー５１の第１開口部５５が上側の遊技球検出スイッチＳの真横に配置されると共に、その第１開口部５５のほぼ横側に最も上側の案内ボス５４が配置されている。したがって、上側の遊技球検出スイッチＳに接続される遊技球検出スイッチ用ハーネス３８のリード線３８ａは、最短距離で保護カバー５１内に収容されることとなる。すなわち、第１開口部５５は、上側の遊技球検出スイッチＳにおける遊技球検出スイッチ用ハーネス３８の接続部位と保護カバー５１との距離（直線距離）が最短距離となる位置に配置されるように保護カバー５１に形成されている。その結果、上側の遊技球検出スイッチＳと保護カバー５１との間では、遊技球検出スイッチ用ハーネス３８のリード線３８ａの露出部位が少なくなる。
【００３３】
また、保護カバー５１の第２開口部５６は、下側の遊技球検出スイッチＳの真横に配設される。したがって、下側の遊技球検出スイッチＳに接続される遊技球検出スイッチ用ハーネス３８のリード線３８ａは、最短距離で保護カバー５１内に収容されることとなる。すなわち、第２開口部５６は、下側の遊技球検出スイッチＳにおける遊技球検出スイッチ用ハーネス３８の接続部位と保護カバー５１との距離（直線距離）が最短距離となる位置に配置されるように保護カバー５１に形成されている。その結果、下側の遊技球検出スイッチＳと保護カバー５１との間では、遊技球検出スイッチ用ハーネス３８のリード線３８ａの露出部位が少なくなる。
【００３４】
そして、各遊技球検出スイッチＳに接続された遊技球検出スイッチ用ハーネス３８は、保護カバー５１内に収容されることから、リード線３８ａ全体のうちの一部が保護カバー５１のカバー部５２によって被覆保護される。すなわち、上側の遊技球検出スイッチ用ハーネス３８のリード線３８ａ全体のうち、遊技球検出スイッチＳから第１開口部５５へ引き込まれるまでの部位、及び貫通孔５７から引き出された部位のみが保護カバー５１外へ露出し、その他の部位は保護カバー５１内に収容される。また、下側の遊技球検出スイッチ用ハーネス３８のリード線３８ａ全体のうち、遊技球検出スイッチＳから第２開口部５６へ引き込まれるまでの部位、及び貫通孔５７から引き出された部位のみが保護カバー５１外へ露出し、その他の部位は保護カバー５１内に収容される。
【００３５】
また、上側の遊技球検出スイッチＳに接続された遊技球検出スイッチ用ハーネス３８のリード線３８ａは、ＬＥＤ基板４１の裏面４１ａにおける半田付けされた箇所を回避して配設された案内ボス５４（取り回し経路６２）に沿って敷設される。そして、保護カバー５１内に収容された遊技球検出スイッチ用ハーネス３８のリード線３８ａは、第１開口部５５と、案内ボス５４と、貫通孔５７とにより、保護カバー５１（カバー部５２）内で位置決め保持され、その移動が抑制（規制）される。このため、遊技球検出スイッチ用ハーネス３８のリード線３８ａは、ＬＥＤ基板４１の半田付け部位と接触することなく、損傷しない。また、遊技球検出スイッチ用ハーネス３８のリード線３８ａとＬＥＤ基板用ハーネス４５のリード線４５ａは、何れも貫通孔５７を介して保護カバー５１外に引き出されるので、サイドランプ１３に接続される複数のハーネスが図示しない結束手段（例えば、結線バンド）によって一つに纏められる。
【００３６】
また、図３に示すように、貫通孔５７は、遊技盤１０の裏側に遊技球回収樋２１を装着した際に該遊技球回収樋２１で覆われない（重ならない）位置に設けられている。このため、貫通孔５７から引き出された遊技球検出スイッチ用ハーネス３８とＬＥＤ基板用ハーネス４５は、遊技盤１０と遊技球回収樋２１との間に挟まれない。そして、サイドランプ１３に接続されるハーネス（遊技球検出スイッチ用ハーネス３８、ＬＥＤ基板用ハーネス４５）は、サイドランプ１３を遊技盤１０に装着した際、各種の制御基板（主制御基板やランプ制御基板など）にそれぞれ接続される。
【００３７】
上記実施形態によれば、以下のような効果を得ることができる。
（１）保護カバー５１とＬＥＤ基板４１の間に間隙Ｋを設け、さらに、間隙Ｋに連通する貫通孔５７を保護カバー５１に形成した。そして、リード線３８ａを保護カバー５１とＬＥＤ基板４１の間の間隙Ｋに通し、さらに、リード線３８ａを貫通孔５７から保護カバー５１外に引き出した。このため、リード線３８ａ全体のうち貫通孔５７から引き出された部位だけが遊技盤１０の裏側に露出することとなり、リード線３８ａ全体が遊技盤１０の裏側に露出することが無くなる。すなわち、リード線３８ａ全体が遊技盤１０の裏側に露出している場合と比較して、露出するリード線３８ａの線長を短くすることができ、遊技盤１０の裏側でリード線３８ａが乱雑な状態で配設されることを無くすことができる。換言すれば、遊技盤１０の裏側では、リード線３８ａが整然と引き出される。その結果、パチンコ遊技機の運送、遊技店での設置作業、パチンコ遊技機の点検、修理等の際に、リード線３８ａ，４５ａに指や工具等を引っ掛け難くすることができ、リード線３８ａ，４５ａがＬＥＤ基板４１やその接続先（制御基板）から抜け落ちたり、損傷を受けたりする虞を無くすことができる。
【００３８】
（２）保護カバー５１とＬＥＤ基板４１の間には、電子部品（ＬＥＤ４２、抵抗等）が半田付けされた箇所を回避する案内ボス５４が設けられ、この案内ボス５４によってリード線３８ａの取り回し経路６２を形成した。このため、保護カバー５１とＬＥＤ基板４１の間の間隙Ｋに通されたリード線３８ａを案内ボス５４に沿って取り回すことにより、該リード線３８ａを半田付けされた箇所から回避させることができる。また、例えば、リード線３８ａが保護カバー５１内へ向かって引っ張られるといった不具合が発生しても、該リード線３８ａは案内ボス５４に当接して半田付けされた箇所にまで達することが防止される。したがって、リード線３８ａが半田付けされた箇所に引っ掛かって損傷を受け、リード線３８ａ内部の導線と半田付けされた箇所が短絡したりする不具合の発生を阻止することができる。
【００３９】
（３）リード線３８ａ，４５ａの引き出し位置となる貫通孔５７は、遊技球回収樋２１を回避した位置に設けられている。このため、パチンコ遊技機製造の際に、貫通孔５７から保護カバー５１外へ引き出されたリード線３８ａ，４５ａが、遊技盤１０の裏側と遊技球回収樋２１の間に挟まれて損傷を受けるといった不具合の発生を阻止することができる。
【００４０】
（４）保護カバー５１には、間隙Ｋを閉鎖する側壁５２ｂが形成され、リード線３８ａを引き出す位置における側壁５２ｂを貫通させて第１及び第２開口部５５，５６が形成されている。このため、保護カバー５１とＬＥＤ基板４１の間の間隙Ｋに通されたリード線３８ａ全体が、保護カバー５１外へ出てしまうことを防止することができる。したがって、リード線３８ａ全体が遊技盤１０の裏側に露出することを阻止することができる。
【００４１】
（５）保護カバー５１にメス型コネクタ４３との配線接続を許容する貫通孔５７を設け、この貫通孔５７を、リード線３８ａを保護カバー５１外へ引き出すための開口部と兼用した。そして、遊技球検出スイッチＳに接続されたリード線３８ａを、保護カバー５１とＬＥＤ基板４１の間の間隙Ｋに通し、さらに、貫通孔５７から保護カバー５１外へ引き出した。このため、メス型コネクタ４３に接続されたＬＥＤ基板用ハーネス４５のリード線４５ａと、遊技球検出スイッチＳのリード線３８ａとを同一箇所（貫通孔５７）から保護カバー５１外へ引き出し、一つに纏めることができる。したがって、各リード線３８ａ，４５ａが保護カバー５１の別々の位置から保護カバー５１外へ引き出される場合と比較して、リード線３８ａ，４５ａが遊技盤１０の裏側で乱雑に配設されることを抑制することができる。
【００４２】
（６）遊技球検出スイッチＳ（電子機器）に接続されたリード線３８ａは、第１開口部５５から間隙Ｋに通され、別の開口部たる貫通孔５７から保護カバー５１外へ引き出されている。このため、リード線３８ａ全体のうち、第１開口部５５から間隙Ｋへ引き込まれるまでの部位及び貫通孔５７から引き出された部位のみが遊技盤１０の裏側に露出し、リード線３８ａ全体が遊技盤１０の裏側に露出することが無くなる。
【００４３】
（７）リード線３８ａの取り回し経路６２を、間隔をおいて設けられた複数の案内ボス５４によって形成した。したがって、例えば、取り回し経路６２を板状の部材で形成した場合と比較して、製造コスト（材料費など）を節約することができる。
【００４４】
（８）案内ボス５４は、保護カバー５１に一体成形されている。ＬＥＤ基板４１の表面４１ｂには、複数の電子部品（ＬＥＤ４２、抵抗等）が実装され、裏面４１ａには半田付けがなされている。そして、半田付けされた箇所を避けてＬＥＤ基板４１に案内ボス５４を一体成形する作業は行いにくい。したがって、案内ボス５４をＬＥＤ基板４１に一体成形する場合と比較して、案内ボス５４を保護カバー５１に一体成形する場合の方が案内ボス５４を容易に設けることができる。
【００４５】
（第２の実施形態）
次に、本発明をパチンコ遊技機に具体化した第２の実施形態を図９〜図１２にしたがって説明する。なお、第２の実施形態は、第１の実施形態の保護カバー５１の開口部を変更したのみの構成であるため、同様の部分についてはその詳細な説明を省略する。
【００４６】
図９及び図１０（ｂ）に示すように、カバー部５２において左右方向の側壁５２ｂのうち、左側の側壁５２ｂには、該左側の側壁５２ｂのほぼ全体を切り欠いて開口部としての第１開口部７０が形成されている。第１開口部７０は、カバー部５２の内部空間と連通している。また、カバー部５２において左右方向の側壁５２ｂのうち、右側の側壁５２ｂには、該右側の側壁５２ｂのほぼ全体を切り欠いて開口部としての第２開口部７１が形成されている。第２開口部７１は、カバー部５２の内部空間と連通している。そして、第１開口部７０と第２開口部７１は、カバー部５２の左右方向に相対向している。
【００４７】
カバー部５２は、その底壁５２ａに案内ボス５４が複数箇所（第２の実施形態では二箇所）に突設されている。これら二つの案内ボス５４は、隣り合う案内ボス５４の間に間隔をおいて設けられている。二つの案内ボス５４の間には、ＬＥＤ基板４１に接続されたＬＥＤ基板用ハーネス４５のリード線４５ａを、各案内ボス５４に沿って敷設可能な間隔が空けられている。そして、ＬＥＤ基板４１の裏側に保護カバー５１が組み付けられたとき、ＬＥＤ基板４１裏面４１ａの半田付けされた箇所が、前記リード線４５ａを敷設可能とする間隔と対応しないように、前記案内ボス５４が設けられている。
【００４８】
そして、第１の実施形態と同様にサイドランプ１３が組み付けられる。この組み付け時において、メス型コネクタ４３に接続されるＬＥＤ基板用ハーネス４５は、保護カバー５１の第１開口部７０を通って保護カバー５１の内部空間に収容され、二つの案内ボス５４にて形成される取り回し経路６２を沿わせて第２開口部７１から保護カバー５１外に引き出される。（図１０（ａ）及び（ｂ）参照）。
【００４９】
組み付けられたサイドランプ１３では、保護カバー５１の第１開口部７０は、貫通孔５７のほぼ上側に形成されている。したがって、メス型コネクタ４３に接続され、貫通孔５７から引き出されたＬＥＤ基板用ハーネス４５は、最短距離で第１開口部７０から保護カバー５１内に収容されることとなる。すなわち、第１開口部７０は、ＬＥＤ基板用ハーネス４５の接続部位（メス型コネクタ４３）と保護カバー５１との距離（直線距離）が最短距離となる位置に配置されるように保護カバー５１に形成されている。その結果、メス型コネクタ４３と保護カバー５１との間では、ＬＥＤ基板用ハーネス４５のリード線４５ａの露出部位が少なくなる。
【００５０】
そして、ＬＥＤ基板用ハーネス４５は、保護カバー５１内に収容されることから、リード線４５ａ全体のうちの一部が保護カバー５１のカバー部５２によって被覆保護される。すなわち、ＬＥＤ基板用ハーネス４５のリード線４５ａ全体のうち、メス型コネクタ４３から第１開口部７０へ引き込まれるまでの部位、及び第２開口部７１から引き出された部位のみが保護カバー５１外へ露出し、その他の部位は保護カバー５１内に収容される。
【００５１】
また、ＬＥＤ基板用ハーネス４５は、ＬＥＤ基板４１の裏面４１ａにおける半田付けされた箇所を回避して配設された案内ボス５４の間（取り回し経路６２）に沿って敷設される。そして、ＬＥＤ基板用ハーネス４５は、二つの案内ボス５４により、保護カバー５１（カバー部５２）内で位置決め保持され、その移動が抑制（規制）される。このため、ＬＥＤ基板用ハーネス４５は、ＬＥＤ基板４１の半田付け部位と接触することなく、損傷しない。
【００５２】
そして、サイドランプ１３は、図１１に示すように、遊技盤１０に装着される。図１２に示すように、第２開口部７１は、遊技盤１０の裏側に遊技球回収樋２１を装着した際に該遊技球回収樋２１で覆われない（重ならない）位置に設けられている。このため、第２開口部７１から引き出されたＬＥＤ基板用ハーネス４５は、遊技盤１０と遊技球回収樋２１との間に挟まれない。
【００５３】
第２の実施形態では、第１の実施形態の（１）〜（８）と同様の効果を発揮することができるとともに、以下の効果も発揮することができる。
（９）保護カバー５１の左右両側の側壁５２ｂには第１及び第２開口部７０，７１が形成されている。そして、第１及び第２開口部７０，７１は、遊技盤１０の裏面に対して側方へ開口し、遊技球回収樋２１を回避した位置に設けられている。このため、パチンコ遊技機の製造の際に、第２開口部７１から保護カバー５１外へ引き出されたリード線４５ａが、遊技盤１０の裏側と遊技球回収樋２１の間に挟まれて損傷を受けるといった不具合の発生を阻止することができる。
【００５４】
なお、本実施形態は以下のように変更してもよい。
・  各実施形態において、案内ボス５４をＬＥＤ基板４１に一体成形してもよい。このとき、ＬＥＤ基板４１における半田付けされた箇所を回避して案内ボス５４が一体成形される。
【００５５】
・  各実施形態において、案内ボス５４の数を変更してもよい。例えば、第１の実施形態では、案内ボス５４を五つ以上設けてもよく、第２の実施形態では、案内ボス５４を三つ以上設けてもよい。
【００５６】
・  各実施形態において、役物ベース３１の裏面３１ａに案内ボス５４を一体成形し、ＬＥＤ基板４１を貫通した案内ボス５４を、保護カバー５１とＬＥＤ基板４１の間に設けてもよい。
【００５７】
・  第１の実施形態において、図１３（ａ）、（ｂ）に示すように、案内手段として板状をなす案内壁８０を、リード線３８ａの取り回し経路６２に沿って設けてもよい。このとき、案内壁８０は、底壁５２ａに一体成形されていてもよいし、ＬＥＤ基板４１に一体成形されていてもよい。さらには、役物ベース３１の裏面３１ａに案内壁８０を一体成形し、ＬＥＤ基板４１を貫通した案内壁８０を、保護カバー５１とＬＥＤ基板４１の間に設けてもよい。
【００５８】
・  第１の実施形態において、第１開口部５５から間隙Ｋ内へ引き込まれたリード線３８ａを第２開口部５６から保護カバー５１外へ引き出し、貫通孔５７を開口部として兼用しなくてもよい。
【００５９】
・  各実施形態において、保護カバー５１を半透明又は不透明材料により形成してもよい。
・  第２の実施形態において、スイッチ取付部３７に遊技球検出スイッチＳを装着し、その遊技球検出スイッチＳに接続された遊技球検出スイッチ用ハーネス３８のリード線３８ａを、第１開口部７０から間隙Ｋ内に通し、第２開口部７１からカバー部５２外へ引き出してもよい。すなわち、ＬＥＤ基板４１に接続されたＬＥＤ基板用ハーネス４５のリード線４５ａ及び遊技球検出スイッチＳに接続された遊技球検出スイッチ用ハーネス３８のリード線３８ａの両方を、第１開口部７０から間隙Ｋ内に通して第２開口部７１からカバー部５２外へ引き出してもよい。
【００６０】
・  各実施形態は遊技用部材（遊技用役物）としてサイドランプ１３に具体化したが、遊技用部材としてセンタ役物１１、始動入賞口１７、大入賞口１９等のサイドランプ１３とは別の遊技用役物に具体化してもよい。また、遊技盤１０の遊技領域１０ａで行われる遊技に直接的に関与する装置（遊技用役物）以外にも、パチンコ遊技機を構成する前枠や上皿等に具備される装飾ランプや球貸し操作基板等の遊技用部材に具体化してもよい。
【００６１】
次に、上記実施形態及び別例から把握できる技術的思想について以下に追記する。
（イ）前記回路基板に接続された配線、及び前記遊技用部材の備える回路基板とは別の電子機器に接続された配線のうちの少なくとも一配線は、前記開口部から間隙を通って別の開口部から保護カバー外へ引き出されている請求項１〜請求項５のうちいずれか一項に記載の遊技機。
【００６２】
（ロ）前記案内手段は、前記配線の取り回し経路に沿って間隔をおいて設けられた複数のボスより形成されている請求項２に記載の遊技機。
（ハ）前記案内手段は、前記保護カバーに一体成形されている請求項２又は前記技術的思想（ロ）に記載の遊技機。
【００６３】
（二）保護カバーにて保護された回路基板を備えた遊技機の遊技用部材において、前記保護カバーと前記回路基板との間に間隙を設けるとともに、該保護カバーの所定位置に前記間隙に連通する開口部を形成し、前記回路基板に接続された配線、及び前記回路基板とは別の電子機器に接続された配線のうちの少なくとも一配線を、前記間隙に通して前記開口部から保護カバー外へ引き出したことを特徴とする遊技用部材。
【図面の簡単な説明】
【００６４】
【図１】遊技盤を示す正面図。
【図２】遊技盤の裏面図。
【図３】遊技球回収樋が装着された状態を示す遊技盤の裏面図。
【図４】第１の実施形態のサイドランプを示す分解斜視図。
【図５】図４の５−５線断面図。
【図６】第１の実施形態のサイドランプを示す斜視図。
【図７】第１の実施形態のサイドランプにおいて底壁を破断した状態を示す一部破断斜視図。
【図８】第１の実施形態のサイドランプを示す裏面図。
【図９】第２の実施形態の保護カバーを示す斜視図。
【図１０】（ａ）は第２の実施形態のサイドランプを示す裏面図、（ｂ）は第２の実施形態のサイドランプにおいて底壁を破断した状態を示す一部破断斜視図。
【図１１】第２の実施形態のサイドランプを装着した遊技盤の裏面図。
【図１２】遊技球回収樋が装着された遊技盤の裏面図。
【図１３】（ａ）はＬＥＤ基板に対する案内壁の位置を示す裏面図、（ｂ）は別例のサイドランプにおいて底壁を破断した状態を示す一部破断斜視図。
【符号の説明】
【００６５】
Ｋ…間隙、Ｓ…別の電子機器としての遊技球検出スイッチ、１０…遊技盤、１１…遊技用部材としてのセンタ役物、１３…遊技用部材としてのサイドランプ、１５…遊技用部材としての普通入賞口、１７…遊技用部材としての始動入賞口、１９…遊技用部材としての大入賞口、２１…遊技球回収樋、３８ａ…配線としてのリード線、４１…回路基板としてのＬＥＤ基板、４１ａ…ＬＥＤ基板の裏面、４１ｂ…ＬＥＤ基板の表面、４２…電子部品としてのＬＥＤ、４３…配線接続用コネクタとしてのメス型コネクタ、４５ａ…配線としてのリード線、５１…保護カバー、５２ｂ…側壁、５４…案内手段としての案内ボス、５５…開口部としての第１開口部、５６…開口部としての第２開口部、５７…開口部としての貫通孔、６２…取り回し経路、７０…開口部としての第１開口部、７１…開口部としての第２開口部、８０…案内手段としての案内壁。
【図１】
2006141569.tif 000003
【図２】
2006141569.tif 000004
【図３】
2006141569.tif 000005
【図４】
2006141569.tif 000006
【図５】
2006141569.tif 000007
【図６】
2006141569.tif 000008
【図７】
2006141569.tif 000009
【図８】
2006141569.tif 000010
【図９】
2006141569.tif 000011
【図１０】
2006141569.tif 000012
【図１１】
2006141569.tif 000013
【図１２】
2006141569.tif 000014
【図１３】
2006141569.tif 000015